(57)【要約】【課題】指掛かり部を持ち上げた指掛かり性を維持しつつ、重ねた場合に指掛かり部が干渉しない構造の易開封性缶蓋を提供し、もって重ねた状態での搬送性，梱包性の向上を図る。【解決手段】全面開口用スコア２が刻設されると共に全面開口用スコア２で囲まれた開口予定部３の面剛性を高めるエンボス加工部４が形成された缶蓋本体５と、缶蓋本体５にリベット部６を介して固定されたスコア破断用のタブ７とを備た全面開口用易開封性缶蓋において、エンボス加工部４を外面側に凸で内面側に凹形状とし、積み重ねた際に下位の缶蓋のタブが上位の缶蓋のエンボス加工部４と干渉しない構成としたことを特徴とする。【選択図】  図１
2008018963.tif 000002
【特許請求の範囲】
【請求項１】
全面開口用スコアが刻設されると共に全面開口用スコアで囲まれる開口予定部の面剛性を高めるエンボス加工部が形成された缶蓋本体と、該缶蓋本体にリベット部を介して固定されたスコア破断用のタブとを備えた全面開口用易開封性缶蓋において、
前記エンボス加工部を外面側に凸で内面側に凹形状とし、積み重ねた際に下位の缶蓋のタブが上位の缶蓋のエンボス加工部に干渉しない構成としたことを特徴とする全面開口用易開封性缶蓋。
【請求項２】
前記タブの指掛かり部が、缶蓋本体の外面に対して、タブ本体より高くなっており、積み重ねた際にタブの指掛かり部が上位の缶蓋のエンボス加工部に収納可能となっている請求項１に記載の全面開口用易開封性缶蓋。
【請求項３】
エンボス加工部は、缶蓋本体の中心軸を回転中心としてタブを回転させた場合の指掛かり部が描く回転軌道を想定し、この回転軌道を缶蓋本体に投影した指掛かり部の回転軌道投影領域上に設けられることを特徴とする請求項２に記載の全面開口用易開封性缶蓋。
【請求項４】
タブの指掛かり部が缶蓋本体の中心に対してリベット部側に位置しエンボス加工部が缶蓋本体の中心に対してタブと反対側に設けられ、エンボス加工部内に収納される下位の缶蓋のタブの指掛かり部が、リベット部と缶蓋本体の中心を通る中心線に対して左右に所定角度θ分ずつ回転方向の移動が許容される構成となっていることを特徴とする請求項２または３に記載の全面開口用易開封性缶蓋。
【発明の詳細な説明】
【技術分野】
【０００１】
本発明は、易開封性缶蓋に関し、特に、全面開口用の易開封性缶蓋に関する。
【背景技術】
【０００２】
従来のこの種の易開封性缶蓋としては、たとえば図２（Ａ），（Ｂ）に示すようなものが知られている。
すなわち、全面開口用スコア１０１が刻設されると共に全面開口用スコア１０１で囲まれた開口予定部１０２の面剛性を高めるエンボス加工部１０３が形成された缶蓋本体１０４と、この缶蓋本体１０４にリベット部１０５を介して固定されたスコア破断用のタブ１０６とを備えている。エンボス加工部１０３は、内面側に凸で外面側に凹形状に成形されていた。また、タブ１０６の指掛かり部１０７をタブ本体１０８より高くすると共に、指掛かり部１０７直下のパネル部分に凹部１０８を形成し、指掛かり部１０７と缶蓋本体１０２間の隙間を広げて指掛かり性の向上が図られていた。
【０００３】
一方、従来から缶蓋の搬送ラインは、搬送ガイドに沿って缶蓋を一列に重ねた状態で連続的に搬送するようになっているが、エンボス加工部１０３が内面側に凸で外面側に凹形状となっているので、缶蓋を重ねた場合、図２（Ｃ）に示すように、下位の缶蓋のタブ１０６が内面側に突出する上位の缶蓋本体１０２のエンボス加工部１０３あるいは凹部１０８に部分的に干渉し、重なり具合が安定しない。特に、タブ１０６の指掛かり部１０７がタブ本体１０８よりも高くなっているので、指掛かり部１０７が当接して不安定となる。
【０００４】
そのため、缶蓋同士ががたつき、缶蓋間の間隔が一定にならずに密集したり広がったりしながら搬送されるクッション量が多くなり、指掛かり部１０７が衝突して傷ついたり、甚だしい場合は傾いた缶蓋が搬送ガイドに引っ掛かって変形するといった不具合が生じる。このような不具合を防止するためには、低速での搬送設備の安定制御が必要となり、高速生産に対応できないという問題がある。
【０００５】
また、一列に重ねた状態で梱包する際に、決められた袋長さに入る蓋枚数が少なくなるので、得意先納入数量の低下、ひいては得意先での飲料缶等の生産効率低下につながるという問題があった。
なお、指掛かり部を高くした他の先行技術としては、たとえば特許文献１に記載のようなものがある。
【特許文献１】特公昭５５−１０４５６号公報
【発明の開示】
【発明が解決しようとする課題】
【０００６】
本発明は上記した従来技術の課題を解決するためになされたもので、その目的とするところは、重ねた場合に下位の缶蓋のタブが上位の缶蓋のエンボス加工部に干渉しない構造の全面開口用易開封性缶蓋を提供し、もって重ねた状態での搬送性，梱包性の向上を図ることにある。
【課題を解決するための手段】
【０００７】
上記目的を達成するために、請求項１に係る発明は、全面開口用スコアが刻設されると共に全面開口用スコアで囲まれた開口予定部の面剛性を高めるエンボス加工部が形成された缶蓋本体と、該缶蓋本体にリベット部を介して固定されたスコア破断用のタブとを備えた全面開口用易開封性缶蓋において、前記エンボス加工部を外面側に凸で内面側に凹形状とし、積み重ねた際に下位の缶蓋のタブが上位の缶蓋のエンボス加工部に干渉しない構成としたことを特徴とする。
請求項２に係る発明は、タブの指掛かり部が、缶蓋本体の外面に対して、タブ本体より高くなっており、積み重ねた際にタブの指掛かり部が上位の缶蓋のエンボス加工部に収納可能となっていることを特徴とする。
【０００８】
請求項３に係る発明は、エンボス加工部は、缶蓋本体の中心軸を回転中心としてタブを回転させた場合の指掛かり部が描く回転軌道を想定し、この回転軌道を缶蓋本体に投影した指掛かり部の回転軌道投影領域上に設けられることを特徴とする。
請求項４に係る発明は、タブの指掛かり部が缶蓋本体の中心に対してリベット部側に位置しエンボス加工部が缶蓋本体の中心に対してタブと反対側に設けられ、エンボス加工部内に収納される下位の缶蓋のタブの指掛かり部が、リベット部と缶蓋本体の中心を通る中心線に対して左右に所定角度θ分ずつ回転方向の移動が許容される構成となっていることを特徴とする。
【発明の効果】
【０００９】
請求項１に係る発明によれば、開口予定部の面剛性を高めるエンボス加工部を外面側に凸で内面側に凹形状としたので、面剛性を維持しながら、下位の缶蓋のタブがエンボス加工部と干渉することを防止することができ、搬送時に缶蓋列が安定した状態で搬送され、高速で生産することも可能となる。
また、一列に重ねた状態で梱包する際にも、エンボス加工部の分だけ重なり代を薄くすることができ、生産効率を落とすことがない。
請求項２に係る発明によれば、タブの指掛かり部がタブ本体より高くなっている場合に、下位の缶蓋のタブの指掛かり部を上位の缶蓋の内面に設けられたエンボス加工部の凹部に収めるようにすれば、安定して重ねることができる。したがって、搬送時に缶蓋列が安定した状態で搬送され、従来のような指掛かり部による傷つきや傾きによる変形といった不具合が解消され、高速で生産することが可能となる。
また、一列に重ねた状態で梱包する際にも、決められた袋長さに入る蓋枚数は指掛かり部を高くしない缶蓋と変わらないので、生産効率を落とすことがない。
【００１０】
請求項３に係る発明によれば、搬送時等における缶蓋間の相対回転によって、指掛かり部がエンボス加工部に自然と収納される。
請求項４に係る発明によれば、重ねられる缶蓋間は一定の角度範囲内であればエンボス加工部に指掛かり部が収納されるので、指掛かり部がエンボス加工部に収まりやすい。
【発明を実施するための最良の形態】
【００１１】
以下に本発明を図示の実施の形態に基づいて説明する。
図１は本発明の実施の形態に係る全面開口用易開封性缶蓋を示している。
この全面開口用易開封性缶蓋１は、全面開口用スコア２が刻設されると共に全面開口用スコア２で囲まれた開口予定部３の面剛性を高めるエンボス加工部４が形成された缶蓋本体５と、この缶蓋本体５にリベット部６を介して固定されたスコア破断用のタブ７とを備え、缶蓋本体の外面に対してタブ７の指掛かり部７１がタブ本体７２より高くなっている。
【００１２】
缶蓋本体５は、円板状のパネル部５１と、このパネル部５１の周縁から上方に立ち上がるチャックウォール部５２と、チャックウォール部５２上端部から半径方向外方に延びて不図示の缶本体の巻き締めフランジ部と共に巻き締められる巻き締めカール部５３とを備えている。全面開口用スコア２はパネル部５１の外周縁に沿って円形状に設けられ、開口予定部３はパネル部５１のほぼ全面を開口する。
【００１３】
タブ７は剛性を有するほぼ楕円形状の破断具で、開口予定部３に設けられたリベット部６に固定される固定部７３と、全面開口用スコア２に向かって延びる押圧作用部として機能するタブ先端部７４と、リベット部６に対してタブ先端部７４と反対側に延びる摘み部７５とから構成されている。摘み部７５は楕円形状の指掛け孔７６を有し、指掛け孔７６の左右に位置する側板部７７，７７の後端部を連結する端板部が指掛かり部７１となっている。タブ先端部７４および摘み部７５の側板部７７までが上面が同一高さの平坦なタブ本体部７２を構成するもので、指掛かり部７１がタブ本体部７２に対して所定高さ高くなっている。
【００１４】
エンボス加工部４は、外面側に凸で内面側に凹形状となっており、積み重ねた際に下位の缶蓋のタブ７の指掛かり部７１が上位の缶蓋のエンボス加工部４に収納可能に構成されている。すなわち、このエンボス加工部４は、缶蓋本体５の中心Ｏを回転中心としてタブ７を回転させた場合の指掛かり部７１が描く回転軌道を想定し、この回転軌道を缶蓋本体５に投影した指掛かり部７１の回転軌道投影領域Ｒ上に設けられる。
図示例では、回転軌道投影領域Ｒの外径線Ｒ１は指掛かり部７１の左右両端を通る円で、パネル４１の直径のほぼ３分の１程度の直径となっている。また、内径線Ｒ２は、指掛かり部７１の外側縁に内接する円で、外径線Ｒ１の略半分程度の直径を有する。この外径線Ｒ１と内径線Ｒ２の間の環状の領域が指掛かり部の回転軌道投影領域Ｒである。
【００１５】
この例では、タブ７の指掛かり部７１が缶蓋本体５の中心Ｏに対して所定寸法だけリベット部６側に位置しており、エンボス加工部４が缶蓋本体５の中心Ｏに対してタブ７と反対側に設けられる構成で、エンボス加工部４はリベット部６と缶蓋本体５の中心Ｏを通る中心線Ｎに対して左右にそれぞれ９０°以上の角度で開く扇形状となっている。すなわち、扇形状は、回転軌道投影領域Ｒの外径線Ｒ１より大径でパネル部５１の周縁より若干小径の大円弧部４１と、回転軌道投影領域Ｒの内径線Ｒ２より若干小径の中央の小円弧部４２と、大円弧部４１の左右両端と左右円弧部４３，４３を介して小円弧部４２の左右両端とを結ぶ直線部４４，４４とによって囲まれている。
この扇形状のエンボス加工部４内に収納される下位の缶蓋のタブ７の指掛かり部７１は、中心線Ｎに対して左右に所定角度θ分ずつ回転方向の移動が許容され、左右の限界位置において指掛かり部７１の外縁部が扇形状の直線部４４に当接する。タブ７の回転方向の移動許容角度θは、左右の限界位置におけるタブのリベット部６と缶蓋本体５の中心Ｏを結ぶタブ中心線Ｔ，Ｔと中心線Ｎをなす角度である。
【００１６】
また、開口予定部３の指掛かり部７１に対応する部分には、所定深さの段凹部８が設けられ、指掛かり部７１を高くした構成と相まってより指が掛かりやすい構造となっている。
段凹部８はこの例では略三角形で、エンボス加工部４の直線部４４と平行の左右の斜辺部８１，８１と、この左右の斜辺部８１，８１の両端を結ぶ蓋体中心線Ｎに対して直交する直交線部８２とによって囲まれている。
【００１７】
次に、本実施の形態の全面開口用易開封性缶蓋の作用について説明する。
開口する際には、タブ７の指掛かり部７１の外側縁に指を掛け、上方に持ち上げ、てこ作用によってタブ先端部７４を押し込んでスコア２を初期破断する。指掛かり部７１が上方に位置し、さらに段凹部８が設けられているので、指掛かり性がよい。初期破断した後、持ち上げることによって初期破断部から全面開口用スコアを左右に破断するが、その際にエンボス加工部によって破断ポイントに応力を集中させることができ、スコアを容易に破断することができる。
【００１８】
一方、缶蓋本体５に指掛かり部７１が収まる広さを有するエンボス加工部４が設けられているので、缶蓋１を重ねた場合に、図１（Ｂ）に示すように、下位の缶蓋のチャックウォール部５２内周に上位の缶蓋のチャックウォール部５２の外周が嵌合して芯出しされる。搬送時において缶蓋同士が相対回転し、下位の缶蓋の外面に突出する指掛かり部７１が上位の缶蓋の内面に設けられたエンボス加工部４の凹部４５に収まる。指掛かり部７１が凹部４５に収まった後は、缶蓋同士のがたつきは規制され、缶蓋列が安定した状態で搬送されるので、従来のような指掛かり部７１による傷つきや傾きによる変形といった不具合が解消され、高速で生産することも可能となる。特に、この実施の形態では、中心線Ｎに対して左右所定角度θの範囲内において収納可能であり、下位のタブ７の指掛かり部７１がはまりやすい。
【００１９】
また、一列に重ねた状態で梱包する際にも、決められた袋長さに入る蓋枚数は指掛かり部を高くしていない缶蓋と変わらないので、生産効率を落とすことがない。
上下蓋が左右対称に重なった場合の高さＡ２を、従来例と比較すると、設計値で０．５ｍｍ減少させることができる。出荷時の袋包装入り数を１００枚と仮定すると、５０ｍｍの蓋長さ抑制効果となる。
【００２０】
また、本実施の形態では、エンボス加工部４の大径円弧部４１を大きくしてエンボス加工部４の面を広く形成しているので、この広いエンボス加工部４を印刷面として種々の装飾，情報を表示することができる。もっとも、エンボス加工部４は指掛かり部７１が収まる広さがあればよい。
なお、上記実施の形態では、タブ７の指掛かり部７１が、缶蓋本体の外面に対して、タブ本体部７２より高くなっており、積み重ねた際にタブ７の指掛かり部７１が上位の缶蓋のエンボス加工部４に収納可能となっているが、タブ７の指掛り部７１がタブ本体部７２より高くなっていない缶蓋についても適用可能である。
図１（Ｄ）と図２（Ｄ）には、指掛かり部がタブ本体部と同一高さの場合の本発明と従来の缶蓋の重なり状態を例示している。
すなわち、従来の缶蓋の場合には、図２（Ｄ）に示すように、エンボス加工部１０３が内面側に凸形状なので、指掛かり部１０７′がタブ本体部１０８より高くなくても、タブ本体部１０８がエンボス加工部１０３と干渉し、エンボス加工部１０３の厚さ分だけ上下の缶蓋の重なり高さが高くなる。これに対して、本発明の場合には、図１（Ｄ）に示すように、エンボス加工部４が内面側に凹で外面側に凸形状となっているので、タブ本体部７２がエンボス加工部４と干渉しないでパネル部５１に当接することになり、図２（Ｄ）に示す従来例に比べてエンボス加工部１０３の厚さ分だけ重なり高さが低くなる。
また、上記実施の形態では、タブ７の指掛かり部７１が缶蓋本体５の中心Ｏに対してリベット部６側に位置する場合について説明したが、指掛かり部７１が缶蓋本体の中心に対してリベットと反対側に位置するような場合についても、適用可能である。
【図面の簡単な説明】
【００２１】
【図１】図１は本発明の実施の形態に係る全面開口用易開封性缶蓋を示すもので、同図（Ａ）は平面図、同図（Ｂ）は同図（Ａ）の缶蓋の拡大断面図、同図（Ｃ）は指掛かり部と重ねられた上位の缶蓋のエンボス加工部の凹部との関係を示す断面図、同図（Ｄ）は指掛かり部がタブ本体より高くないタブを用いた場合の缶蓋の重なり状態を示す要部断面図である。
【図２】図２は従来の全面開口用易開封性缶蓋を示すもので、同図（Ａ）は平面図、同図（Ｂ）は同図（Ａ）の缶蓋の拡大断面図、同図（Ｃ）は指掛かり部と重ねられた上位の缶蓋との関係を示す断面図、同図（Ｄ）は指掛かり部がタブ本体より高くないタブを用いた場合の缶蓋の重なり状態を示すを要部断面図である。
【符号の説明】
【００２２】
１  全面開口用易開封性缶蓋
２  全面開口用スコア
３  開口予定部
４  エンボス加工部
４１  大円弧部、４２  中央小円弧部、４３  左右円弧部、４４  直線部、
４５  凹部
５  缶蓋本体
５１  パネル部、５２  チャックウォール部、５３  巻き締めカール部、
６  リベット部
７  タブ
７１，７１′  指掛かり部、７２  タブ本体部、７３  固定部
７４  タブ先端部、７５  摘み部、７６  指掛け孔、７７  側板部
８  段凹部
８１  斜辺部、８２  直交線部
Ｎ  中心線
Ｒ    回転軌道投影領域
Ｒ１  外径線
Ｒ１  内径線
【図１】
2008018963.tif 000003
【図２】
2008018963.tif 000004